(57)【要約】      （修正有）【課題】撮影者の頭部など体の一部に装着して使用され、指など体の一部に装着した小型リモコンによる遠隔操作により、カメラに触れることなく、両手を自由にした状態で、撮影操作を容易に行うことを可能にした電子カメラを提供する。【解決手段】撮影者の頭部又はその近傍に装着可能な撮像部１１と、前記撮像部によって撮像した画像の処理を行う画像処理部１２と、前記画像処理部による画像処理後の画像を記録するメモリ部１３とを備えた電子カメラにおいて、頭部に装着可能なアイグラスディスプレイ１４と、該アイグラスディスプレイに表示される画像を制御する表示制御部１５と、指又はその近傍に装着可能なシャッター部と、を備える。【選択図】図１
2012065221.tif 000002
【特許請求の範囲】
【請求項１】
撮影者の頭部又はその近傍に装着可能な撮像部と、前記撮像部によって撮像した画像の処理を行う画像処理部と、前記画像処理部による画像処理後の画像を記録するメモリ部とを備えた電子カメラにおいて、
頭部に装着可能なアイグラスディスプレイと、
該アイグラスディスプレイに表示される画像を制御する表示制御部と、
指又はその近傍に装着可能なシャッター部と、を備えることを特徴とする電子カメラ。
【請求項２】
前記アイグラスディスプレイは、前記シャッター部の操作により、前記表示制御部からの信号を受けて撮像された画像が表示されることを特徴とする請求項１に記載の電子カメラ。
【請求項３】
撮影者の頭部又はその近傍に装着可能な撮像部と、前記撮像部によって撮像した画像の処理を行う画像処理部と、前記画像処理部による画像処理後の画像を記録するメモリ部とを備えた電子カメラにおいて、
腕もしくはその近傍に装着可能なモニターと、
該モニターに表示される画像を制御する表示制御部と、
指又はその近傍に装着可能なシャッター部と、を備えることを特徴とする電子カメラ。
【請求項４】
前記モニターは、前記シャッター部の操作により、前記表示制御部からの信号を受けて撮像された画像が表示されることを特徴とする請求項３に記載に電子カメラ。
【発明の詳細な説明】
【技術分野】
【０００１】
本発明は、デジタルカメラ等の電子カメラに関し、詳細には、撮影者の身体装着型リモコンを使用した遠隔操作により、撮像部（レンズ）を含むカメラ本体に触れることなく、両手を自由にした状態で撮影可能な電子カメラに関する。
【背景技術】
【０００２】
従来の電子カメラでは、撮影を行う場合、まず、撮影者がカメラを被写体に向けて構え、光学ファインダー等で構図を確認し、次いで、構図を決定後、カメラ本体に設けられたシャッタースイッチ、又はその開閉をケーブルで操作するレリーズスイッチを押して画像をメモリに記憶させる、等の方法により行われていた。
【０００３】
しかしながら、このような一連の操作は、撮影場所等によっては不都合なこともある。例えば、アンテナ工事の際に周囲の環境を写真撮影するなど高所での作業の場合、一方の手でパイプ（手すりになるもの）などにつかまりながら、他方の手でカメラ操作を行わなければならず、作業効率が良くない。
【０００４】
特に、高所での作業は非常に危険であると共に、片手での操作によりピントがずれたり、撮影時のブレなど、両手を自由に使える地上での撮影と比較して、撮影結果の画質が低下するという問題がある。
【０００５】
また、特開２００９−１０９８７号公報では、頭や肩等の体の一部に装着して使用する電子カメラにおいて、カメラに触れることなく、また、リモコン等の操作部材を使用することなくカメラの操作を行えるようにした電子カメラが提供されている。しかし、この電子カメラでは、被写体を観察しながら記録したい画像の構図を両手を使って決めるものであるため、結局は手が自由にならず、高所等での作業の際の使用には適さない。
【先行技術文献】
【特許文献】
【０００６】
【特許文献１】特開２００９−１０９８７号公報
【発明の概要】
【発明が解決しようとする課題】
【０００７】
本発明は、上記のような問題点を解決するためになされたもので、撮影者の頭部など体の一部に装着して使用する電子カメラにおいて、指など体の一部に装着した小型リモコンによる遠隔操作により、カメラに触れることなく、両手を自由にした状態で、撮影操作を容易に行うことを可能にした電子カメラを提供することを目的とする。
【課題を解決するための手段】
【０００８】
本発明は、以下の発明を提供することにより、前記目的を達成したものである。
１．撮影者の頭部又はその近傍に装着可能な撮像部と、前記撮像部によって撮像した画像の処理を行う画像処理部と、前記画像処理部による画像処理後の画像を記録するメモリ部とを備えた電子カメラにおいて、
頭部に装着可能なアイグラスディスプレイと、
該アイグラスディスプレイに表示される画像を制御する表示制御部と、
指又はその近傍に装着可能なシャッター部と、を備えることを特徴とする電子カメラ。
【０００９】
２．前記アイグラスディスプレイは、前記シャッター部の操作により、前記表示制御部からの信号を受けて撮像された画像が表示されることを特徴とする前記１に記載の電子カメラ。
【００１０】
３．撮影者の頭部又はその近傍に装着可能な撮像部と、前記撮像部によって撮像した画像の処理を行う画像処理部と、前記画像処理部による画像処理後の画像を記録するメモリ部とを備えた電子カメラにおいて、
腕もしくはその近傍に装着可能なモニターと、
該モニターに表示される画像を制御する表示制御部と、
指又はその近傍に装着可能なシャッター部と、を備えることを特徴とする電子カメラ。
【００１１】
４．前記モニターは、前記シャッター部の操作により、前記表示制御部からの信号を受けて撮像された画像が表示されることを特徴とする前記３に記載に電子カメラ。
【００１２】
本発明に係る前記１の電子カメラは、上述した構成を有しているので、指もしくはその近傍に装着したシャッター部による遠隔操作により、カメラに直接触れることなく、両手が自由な状態で撮影操作が可能である。
【００１３】
本発明に係る前記２の電子カメラは、上述した構成により、シャッター部を操作することにより、撮像された画像をアイグラスディスプレイに表示させることが可能となり、操作者自身が操作を必要とせずに、両手が自由な状態で、撮像結果を自動的に確認することができる。
【００１４】
本発明に係る前記３の電子カメラは、上述した構成を有しているので、指もしくはその近傍に装着したシャッター部による遠隔操作により、カメラに直接触れることなく、両手が自由な状態で撮影操作が可能である。
【００１５】
本発明に係る前記４の電子カメラは、上述した構成を有しているので、シャッター部を押すことにより、撮像された画像をモニターに表示させることが可能となり、操作者自身が操作を必要とせずに、両手が自由な状態で、撮像結果を自動的に確認することができる。
【発明の効果】
【００１６】
本発明の電子カメラによれば、指など体の一部に装着した小型リモコンによる遠隔操作により、カメラに直接触れることなく、両手が自由な状態で、撮影操作を容易に行うことが可能になる。また、アイグラスディスプレイやモニターなどの画像表示部を設けることにより、操作者自身が面倒な操作をすることなく、撮像結果を自動的に確認することができる。
【発明を実施するための形態】
【００１７】
以下、本発明について、その好ましい実施形態に基づき図面を参照して説明する。
【００１８】
〔第１の実施形態〕
図１（ａ）は、本発明の第１の実施形態に係る電子カメラにおける本体部の斜視図を示し、図１（ｂ）は、本発明の第１の実施形態に係る電子カメラにおけるシャッター部の使用状態及びその拡大斜視図を示す。また、図２は、図１の電子カメラ（本体部及びシャッター部）を撮影者が装着し、使用する状態を示す図である。
【００１９】
第１の実施形態に係る電子カメラは、図１に示すように、被写体の画像を撮像する撮像部１１と、この撮像部１１によって撮像した画像の処理を行う画像処理部１２と、画像処理部１２による処理後の画像を記録するメモリ部１３と、頭部に装着可能なアイグラスディスプレイ１４と、このアイグラスディスプレイ１４に表示される画像を制御する表示制御部１５とを含む本体部１０（図１（ａ））と、指又はその近傍に装着可能でリモコン機能を備えたシャッター部１６（図１（ｂ））とが分離されて（別個に）構成されたものである。
【００２０】
図１（ａ）に示すように、本体部１０は、画像処理部１２、メモリ部１３及び表示制御部１５が略矩形状のリモコン受信部１７に内在し、該リモコン受信部１７から撮影者の視線方向に突出した支持棒１９を介して、該支持棒１９の先端にレンズを有する撮像部１１と、撮像部１１の直近に設置され撮影者の眼の前方に近接して配置されたアイグラスディスプレイ１４とが、撮影者の頭部に装着可能な形状のヘッドホルダー１８によって前記リモコン受信部１７の中央部において支持され、一体的な構造となっている。本体部１０は、ヘッドホルダー１８を撮影者が頭部から装着することで使用ができる。
【００２１】
撮像部１１は、被写体を写す際に好ましい画像に調整できるレンズを備えており、通常の携帯カメラ用のレンズなどが用いられる。
【００２２】
また、アイグラスディスプレイ１４は、撮影者の片眼の視野全体が覆われるように構成されており、撮影しようとする被写体の画像の確認及び撮像した後の画像の確認をするためのものである。アイグラスディスプレイ１４は、シャッター部１６のシャンターボタン１６ａ（図１（ｂ））を撮影者が押すことにより、リモコン操作によって、本体部１０のリモコン受信部１７の表示制御部１５からの信号を受けて撮像された画像が表示される機能を有している（図１（ａ）の点線枠内は画像表示部を示す）。なお、撮影時以外は、アイグラスの機能のみを有している。
【００２３】
シャッター部１６は、図１（ｂ）に示すように、撮影者の指に装着可能なリング形状となっており、例えば、撮影者の手の人差指に装着され、撮影時に隣の指でシャッターボタン１６ａを押すことでリモコン受信部１７に信号が送られ、アイグラスディスプレイ１４上の画像の表示・撮影・記録ができる構成になっている。
【００２４】
シャッターボタン１６ａは、リモコン受信部１７における画像処理部１２での処理後の画像を確認するためのアイグラスディスプレイ１４への表示と、所望する画像の撮影と、撮影した画像のメモリ部１３への記録との切換操作ができるようになっている。
【００２５】
リモコン受信部１７におけるメモリ部１３は、撮影者が本体部１０を装着した際の後方（撮像部１１と反対側）の位置から、ＳＤカード等の記憶媒体が挿入可能な構成となっている。
【００２６】
ヘッドホルダー１８及び支持棒１９は、図１（ａ）に示すものが一例として挙げられるが、それらの機能を損なわない限りその形状等には特に制限されず、種々のものが用いられる。
【００２７】
本実施形態では、高所作業で両手を自由にしながらの撮影ができ、両手で物を支えながらの撮影を可能とする。特に高所における作業効率化を図るとともに、落下防止のための小型・軽量化を図る工夫が施されたものがより好ましい。
例えば、本体部１０における装着時に身体に触れる箇所、具体的には、リモコン受信部１７、ヘッドホルダー１８、およびシャッター部１６等に凹凸をつけたものや、ゴム製のカバー付き樹脂などの特殊な構造を有するもの、材質が軽金属のもの等が好ましい。
【００２８】
第１実施形態に係る電子カメラで撮影する際には、図２に示すように、本体部１０を頭部に装着し、シャッター部１６を指に装着して、前述した操作をすることにより、使用することができる。
なお、本実施形態では、シャッターボタン１６ａの押圧によりシャッターをきる方法でスイッチを「オン」にして撮影するものであるが、特にこれに制限されることなく、ある程度以上の力で指などが触れるだけでシャッターを切る方法や、その他の種々の方法を採用することができる。また、オーフォーカス（ＡＦ）機能において、シャッターボタン１６ａを第一段階で半押しし、その動作により、被写体に対し光を当て構図を決定したり、被写体へのピント・露出調整を行い、次いで、第二段階の押切り動作でシャッターが切れるものとすることもできる。これにより、手ぶれなども生じにくく、より正確で高度な画質の写真を撮ることができる。
また、本発明の電子カメラは、更なる作業効率化の点で、シャッター部のシャッタースピードアップ機能を備えたり、望遠・ズーム機能、フラッシュ機能、及び記録画像等の送信データのアップロード機能等を備えることが好ましい。
【００２９】
被写体を撮影する際には、支持棒１９からその先端に位置する撮像部１１の延長線上に被写体が来るように、身体、特に頭の向きを合わせることにより操作することができる。また、撮影画像を確認後に保存、消去する操作方法は、通常の電子カメラと同様にして行うことができる。
【００３０】
〔第２の実施形態〕
図３（ａ）は、本発明の第２の実施形態に係る電子カメラにおける本体部の斜視図を示し、図３（ｂ）は、本発明の第２の実施形態に係る電子カメラにおけるシャッター部及び液晶モニター部の使用状態図を示す。また、図４は、図３の電子カメラ（本体部、シャッター部及び液晶モニター部）を撮影者が装着し、使用する状態を示す図である。
【００３１】
第２の実施形態に係る電子カメラは、図３に示すように、被写体の画像を撮像する撮像部２１と、この撮像部２１によって撮像した画像の処理を行う画像処理部２２と、画像処理部２２による処理後の画像を記録するメモリ部２３と、腕もしくはその近傍に装着可能な液晶モニター２４と、この液晶モニター２４に表示される画像を制御する表示制御部２５と、指又はその近傍に装着可能なシャッター部２６と、を備えるものである。
【００３２】
そして、本実施形態の電子カメラは、これら撮像部２１、画像処理部２２、メモリ部２３及び表示制御部２５を含む本体部２０（図３（ａ））と、液晶モニター２４（図３（ｂ））と、リモコン機能を備えたシャッター部２６（図３（ｂ））とが、それぞれ分離されて構成されたものである。
【００３３】
図３（ａ）に示すように、本体部２０は、画像処理部２２、メモリ部２３及び表示制御部２５が内在された略矩形状のリモコン受信部２７と、該リモコン受信部２７における装着時の被写体側の面の中央部にレンズを有する撮像部２１とが、撮影者の頭部に水平方向に装着可能なリング形状のヘッドホルダー２８によって前記リモコン受信部２７の中央部において支持され、一体的な構造となっている。本体部２０は、ヘッドホルダー２８を撮影者が頭部の上側から装着することで使用ができる。
【００３４】
撮像部２１は、被写体を写す際に好ましい画像に調整できるレンズを備えており、通常の携帯カメラ用のレンズなどが用いられる。
【００３５】
また、液晶モニター２４は、図３（ｂ）に示すように、撮影者の手の甲側手首付近に表示部分（ディスプレイ）が位置するようアームバンド等で留められる構成とされており、撮影しようとする被写体の画像の確認及び撮像した後の画像の確認をするためのものである。液晶モニター２４は、シャッター部２６のシャンターボタン２６ａ（図３（ｂ））を撮影者が押すことにより、リモコン操作によって、本体部２０のリモコン受信部２７の表示制御部２５からの信号を受けて撮像された画像が表示される機能を有している。なお、図３（ｂ）に示す液晶モニター２４における中央の枠内は、画像表示部を示す。
【００３６】
また、シャッター部２６は、図３（ｂ）に示すように、撮影者の指に装着可能なリング形状となっており、例えば、撮影者の手の人差指に装着され、撮影時に隣の指でシャッターボタン２６ａを押すことでリモコン受信部２７に信号が送られ、更にその中の表示制御部２５による信号により、液晶モニター２４上の画像の表示、および撮影・記録ができる構成になっている。
【００３７】
シャッターボタン２６ａは、リモコン受信部２７における画像処理部２２での処理後の画像を確認するための液晶モニター２４への表示と、所望する画像の撮影と、撮影した画像のメモリ部２３への記録との切換操作ができるようになっている。
【００３８】
リモコン受信部２７におけるメモリ部２３は、撮影者が本体部２０を装着した際の後方（撮像部２１と反対側）の位置から、ＳＤカード等の記憶媒体が挿入可能な構成となっている。
【００３９】
ヘッドホルダー２８は、図３（ａ）に示すものが一例として挙げられるが、それらの機能を損なわない限りその形状等には特に制限されず、種々のものが用いられる。
【００４０】
本第２実施形態でも、第１実施形態と同様に、高所作業で両手を自由にしながらの撮影ができ、両手で物を支えながらの撮影を可能とする。特に高所における作業効率化を図るとともに、落下防止のための小型・軽量化を図る工夫が施されたものがより好ましい。
また、本実施形態は、陸上でのスポーツや、マリンスポーツ等のスポーツを行いながらの撮影をする場合に特に好適なものである。特に、水中レジャーに便利な構造、例えば、防水機能、振動低下構造、低温・高温耐性を有するものが好ましい。
【００４１】
第２実施形態に係る電子カメラで撮影する際には、図４に示すように、本体部２０を頭部に装着し、液晶モニター部２４を腕に装着し、シャッター部２６を指に装着して、前述した操作をすることにより、使用することができる。
なお、本実施形態でも、前述した第１実施形態における変更形態や、操作方法等が適宜適用できる。すなわち、本実施形態に係る電子カメラにおけるシャッターボタンの使い方、撮影画像を確認後に保存、消去する場合の操作方法、被写体を撮影する際の、被写体に対する体の向きなどは、通常の電子カメラの場合と同様にして行うことができる。
また、図示しないが、画像確認用の液晶モニター部を表面として、その下地部にソーラーパネルを配置して充電できるようにすることもできる。このようなソーラーパネルを備える液晶モニター部を使用した電子カメラは、長時間の使用による電池切れ、電池交換等のおそれがなく、長時間に亘り両手が自由に使える状態で作業を行うことができる。モニター部は、液晶モニターに代えて、有機ＥＬ等の他の素材からなるモニターを用いることもできる。
【００４２】
〔第３の実施形態〕
図５（ａ）は、本発明の第３の実施形態に係る電子カメラにおける本体部の斜視図を示し、図５（ｂ）は、本発明の第３の実施形態に係る電子カメラにおけるシャッター部及び液晶モニター部の使用状態図を示す。また、図６は、図５の電子カメラ（本体部、シャッター部及び液晶モニター部）を撮影者が装着し、使用する状態を示す図である。
【００４３】
第３の実施形態に係る電子カメラは、図５に示すように、被写体の画像を撮像する撮像部３１（カメラレンズ）と、この撮像部３１によって撮像した画像の処理を行う画像処理部（図示せず）と、画像処理部による処理後の画像を記録するメモリ部（図示せず）と、撮影者の眼前に位置するディスプレイ部３４ａ及び腕もしくはその近傍に装着可能な液晶モニター３４ｂと、このディスプレイ部３４ａ又は液晶モニター３４ｂに表示される画像を制御する表示制御部（図示せず）と、指又はその近傍に装着可能なシャッター部（シャｔッターボタン）３６と、を備えるものである。
【００４４】
そして、本実施形態の電子カメラは、上記の撮像部３１を架橋状中央部に備え、一対の眼鏡レンズの何れか一又は双方の上のディスプレイ部３４ａを含む眼鏡様の本体部３０（図５（ａ））と、簡易手袋に一体的に備えられた液晶モニター３４ｂ及びリモコン機能を備えたシャッター部３６（図３（ｂ））とが、それぞれ分離されて構成されたものである。ここで、画像処理部、メモリ部、及び表示制御部は、本発明の機能を損なわない限り、本体部３０又は液晶モニター３４ｂ若しくはシャッター部３６を備える簡易手袋の任意の位置に備えることができる。
【００４５】
図５（ａ）に示す本体部３０は、撮影者が通常の眼鏡をかけるのと同様にして装着・使用することができる。図５（ｂ）に示す液晶モニター部３４ｂ及びシャッター部３６を備える簡易手袋は、撮影者が通常の手袋をはめるのと同様にして装着・使用することができる。
【００４６】
第３実施形態の電子カメラにおける各部の作用・機能は、前述した第１又は第２実施形態で詳述したことが適宜適用される。例えば、第３実施形態におけるディスプレイ部３４ａは、第１実施形態におけるアイグラスディスプレイ１４と同様の作用・機能を有し、また第３実施形態における液晶モニター部３４ｂは、第２実施形態における液晶モニター２４と同様の作用・機能を有する。
【００４７】
本第３実施形態では、高所作業やスポーツを行うような特殊な場合のみならず、日常生活においても、両手を自由にしながらの撮影ができ、両手で物を支えながらの撮影を可能とする。
【００４８】
第３実施形態に係る電子カメラで撮影する際には、図６に示すように、撮像部３１（カメラレンズ）及びディスプレイ部３４ａを含む本体部３０としての眼鏡をかけるとともに、液晶モニター部３４ｂ及びシャッター部３６を含む簡易手袋を手にはめて装着し、前述した操作をすることにより、使用することができる。
なお、本実施形態でも、前述した第１実施形態における変更形態や、操作方法等が適宜適用できる。すなわち、本実施形態に係る電子カメラにおけるシャッター部の使い方、撮影画像を確認後に保存、消去する場合の操作方法、被写体を撮影する際の、被写体に対する体の向きなどは、通常の電子カメラの場合と同様にして行うことができる。モニター部は、液晶モニターに代えて、有機ＥＬ等の他の素材からなるモニターを用いることもできる。
【００４９】
以上、本発明の電子カメラについて、３つの実施形態を例に挙げて詳述したが、これら各実施形態に特有の機能及び付加的な機能は、それぞれ他の実施形態に適用することもでき、また本発明の効果を損なわない限り、前記で詳述しなかったその他の有用な機能を付加することもできる。例えば、３Ｄ機能を付加することもできる。撮影しようとする際の画像又は撮影後に記録した画像に３Ｄ機能を持たせることにより、一層リアル感のある画像の撮影・鑑賞が可能となり、本発明の効果をより向上させることができる。
【００５０】
本発明の電子カメラは、その一連の動作がＣＰＵ（図示せず）によって制御される。本発明の電子カメラにおける主要部には、それぞれＣＰＵが内蔵されている。例えば、シャッター部のシャッターボタンが押されると、ＣＰＵによってその信号が撮像部でキャッチされ、撮像が行われる。そして、撮像画像が画像処理部に転送され、ホワイトバランスの調整や補正などの一般的な画像処理を行い、処理後の画像をメモリ部に転送する。シャッター部は、ＣＰＵとともに構成されており、シャッターボタンが押されるとＣＰＵが撮像部に撮像を実行する信号を送ることにより、リモコン機能を発揮する。
【００５１】
また、画像表示部は、ＣＰＵとともに構成されており、撮像部で撮像後の画像を画像処理した後、当該撮像部のＣＰＵから画像表示部のＣＰＵに指令を出し、アイグラスディスプレイや液晶モニターに撮像結果の画像を表示するように制御を行う。
【産業上の利用可能性】
【００５２】
本発明は、指など体の一部に装着した小型リモコンによる遠隔操作により、カメラ本体に直接触れることなく、両手が自由な状態で、撮影操作を容易に行うことが可能で、撮影者自身が面倒な操作をすることなく、撮像結果を自動的に確認することができる電子カメラとして、産業上の利用可能性を有する。
【図面の簡単な説明】
【００５３】
【図１】図１（ａ）は、本発明の第１の実施形態に係る電子カメラにおける本体部の斜視図である。図１（ｂ）は、本発明の第１の実施形態に係る電子カメラにおけるシャッター部の使用状態及びその拡大斜視図である。
【図２】図１の電子カメラ（本体部及びシャッター部）を撮影者が装着、使用した状態を示す図である。
【図３】図３（ａ）は、本発明の第２の実施形態に係る電子カメラにおける本体部の斜視図である。図３（ｂ）は、本発明の第２の実施形態に係る電子カメラにおけるシャッター部及び液晶モニター部の使用状態図である。
【図４】図３の電子カメラ（本体部、シャッター部及び液晶モニター部）を撮影者が装着、使用した状態を示す図である。
【図５】図５（ａ）は、本発明の第３の実施形態に係る電子カメラにおける本体部の斜視図である。図５（ｂ）は、本発明の第３の実施形態に係る電子カメラにおけるシャッター部及び液晶モニター部の使用状態図である。
【図６】図５の電子カメラ（本体部、シャッター部及び液晶モニター部）を撮影者が装着、使用した状態を示す図である。
【符号の説明】
【００５４】
１０，２０，３０…カメラ本体部
１１，２１，３１…撮像部
１２，２２…画像処理部
１３，２３…メモリ部
１４…アイグラスディスプレイ
２４，３４ｂ…液晶モニター部
３４ａ…ディスプレイ部
１５，２５…表示制御部
１６，２６，３６…シャッター部
１６ａ，２６ａシャッターボタン
１７，２７…リモコン受信部
１８，２８…ヘッドホルダー
１９…支持棒
【図１】
2012065221.tif 000003
【図２】
2012065221.tif 000004
【図３】
2012065221.tif 000005
【図４】
2012065221.tif 000006
【図５】
2012065221.tif 000007
【図６】
2012065221.tif 000008